(57)【特許請求の範囲】
【請求項１】
フランジ部を有するシリンジと、当該シリンジ内に押し込み可能なプランジャとを備える定量シリンジ型噴出器であって、
プランジャの側面に凹部を形成するとともに、当該凹部に、フランジ部と接触する端面を有するストッパを配置し、
当該ストッパをプランジャに切断可能な連結部を介して分離可能に設け、
前記ストッパに、当該ストッパのプランジャ側の側面に開口して横方向に伸びるスリットを設けたことを特徴とする定量シリンジ型噴出器。
【請求項２】
請求項１において、前記ストッパは平板状であり、該ストッパの厚み方向に突出する突出部を設けることにより、前記ストッパの、前記フランジ部と接触する端面を、当該ストッパの収納方向に対して直交する方向に拡大したことを特徴とする定量シリンジ型噴出器。
【請求項３】
請求項１又は２において、シリンジの先端部に噴霧ノズルを設けたことを特徴とする定量シリンジ型噴出器。
【発明の詳細な説明】
【技術分野】
【０００１】
本発明は、フランジ部を有するシリンジと、当該シリンジ内に押し込み可能なプランジャとを備える定量シリンジ型噴出器であって、プランジャの押し込みを２段階に行うための技術に関するものである。
【背景技術】
【０００２】
シリンジ型噴出器には、例えば、シリンジ内にプランジャを押し込んで薬液などの内容物を取り出すものがある（例えば、特許文献１参照）。
【先行技術文献】
【特許文献】
【０００３】
【特許文献１】特開平７−２１３６１２号公報
【発明の概要】
【発明が解決しようとする課題】
【０００４】
しかしながら、従来のシリンジ型噴出器は、シリンジ内にプランジャを押し込むにすぎないため、内容物を小分けして取り出すことが困難であった。
【０００５】
本発明の目的とするところは、内容物を小分けして噴出することができる、新規な定量シリンジ型噴出器を提供することにある。
【課題を解決するための手段】
【０００６】
本発明は、フランジ部を有するシリンジと、当該シリンジ内に押し込み可能なプランジャとを備えるシリンジ型噴出器であって、
プランジャの側面に凹部を形成するとともに、当該凹部に、フランジ部と接触する端面を有するストッパを配置し、当該ストッパをプランジャに切断可能な連結部を介して分離可能に設け、
前記ストッパに、当該ストッパのプランジャ側の側面に開口して横方向に伸びるスリットを設けたことを特徴とするものである。
【０００７】
前記ストッパは平板状であり、該ストッパの厚み方向に突出する突出部を設けることにより、前記ストッパの、前記フランジ部と接触する端面を、当該ストッパの収納方向に対して直交する方向に拡大させることができる。
【発明の効果】
【０００８】
本発明では、ストッパがフランジ部に接触するまでプランジャを押し込むことで、１回目の噴出が可能になる。次いで、ストッパをプランジャから分離すると、再びプランジャを押し込むことができる。これにより、２回目の噴出が可能になる。従って、本発明によれば、内容物を小分けして噴出することができる。
【０００９】
加えて、本発明では、プランジャの側面に凹部を形成し、この凹部にストッパを配置したことから、外部からストッパの有無を視認することによって、小出しの状況を確認することができる。更に、シリンジの先端部には、噴霧ノズルを設けることができる。
【図面の簡単な説明】
【００１０】
【図１】本発明の第一の実施形態である点鼻薬噴霧器であって、その操作前の初期状態を一部断面で示す側面図である。
【図２】（ａ）は、同実施形態のストッパをプランジャとともに拡大して示す側面図であり、（ｂ）は、（ａ）のＸ−Ｘ断面図である。
【図３】同実施形態にあって、１回目の噴出が完了した状態を一部断面で示す側面図である。
【図４】同実施形態にあって、２回目の噴出が完了した状態を一部断面で示す側面図である。
【図５】同実施形態の変形例であって、１回目の噴出が完了した状態を一部断面で示す側面図である。
【図６】（ａ）は、同実施形態の他の変形例であって、そのストッパをプランジャとともに模式的に示した拡大側面図であり、（ｂ）は、（ａ）の斜視図である。
【発明を実施するための形態】
【００１１】
以下、図面を参照して、本発明の一実施形態である点鼻薬噴霧器１を詳細に説明する。
【００１２】
図１中、符号２は、内容物としての点鼻薬を充填可能な定量シリンジである。シリンジ２は、中空の胴部２ａを有し、この胴部２ａには、肩部２ｂを介して先端部２ｃが一体に繋がる。先端部２ｃは、胴部２ａよりも小径としてなる。また、胴部２ａには、先端部２ｃと対向する後端部側の位置に、フランジ部２ｄが一体に設けられている。本形態において、フランジ部２ｄには外装部２ｅが取り付けられているが、外装部２ｅは省略することができる。
【００１３】
符号３は、シリンジ２内に収納されるプランジャである。プランジャ３は、シャフト部３ａを有する。シャフト部３ａは、縦長の４枚のプレート部分３ａ1を放射状に組み合わせた十字形の断面形状を有する。シャフト部３ａは、シリンジ２に収納される先端部にピストン３ｂが設けられている。ピストン３ｂは、例えば、ゴムなどの弾性材料からなり、シリンジ胴部２ａの内周面に摺動可能に保持されている。また、シャフト部３ａの後端部は、プランジャ３の押し込みに要する押圧部３ｃとして構成されている。
【００１４】
シリンジ２とピストン３ｂとの間には空間Ｒ1が形成されている。空間Ｒ1には、点鼻薬が充填される。空間Ｒ1に充填された点鼻薬は、プランジャ３の押し込みによって、先端部２ｃに形成した貫通孔Ａ１に圧送される。
【００１５】
符号４は、シリンジ先端部２ｃに装着されるノズルである。ノズル４は、噴霧チップ５を内蔵し、貫通孔Ａ１を通って圧送された点鼻薬を噴出孔Ａ２より噴霧させることができる。
【００１６】
一方、プランジャ３の側面には、図２（ａ）に示すように、凹部ｎが形成されている。本形態では、凹部ｎは、プレート部分３ａ1の最外側に位置する側縁（以下、「最外側縁」）３ｅ1を切り欠いて形成されている。また、本形態では、凹部ｎは、矩形の凹部として形作られている。更に、本形態では、凹部ｎは、図２（ｂ）に示すように、４つのプレート部分３ａ1のうちの、少なくとも１つのプレート部分３ａ1に形成されている。
【００１７】
符号６は、凹部ｎに配置されるストッパである。ストッパ６は、図２（ｂ）に示すように、プレート部分３ａ1とほぼ同一の厚さを有する。また、ストッパ６は、図２（ａ）に示すように、凹部ｎと相似形の矩形であって、プレート部分３ａ1の最外側縁３ｅ1よりも外側に突出する。本形態では、ストッパ６の上端面６ｅ1は、平坦な面で構成されている。上端面６ｅ1は、シリンジ２に設けた外装部２ｅと接触する端面としてなる。
【００１８】
ストッパ６は、プランジャ３から分離可能に設けられている。本形態では、ストッパ６は、複数の連結部７を介してプレート部分３ａ1に連結されている。本形態では、連結部７は、プレート部分３ａ1の最内側縁、すなわち、凹部ｎを形作り最外側に位置する最内側縁３ｅ2との間に、軸線方向に間隔を置いて２箇所設けられている。また、連結部７は、凹部ｎを形成する上側端縁３ｅ3と下側端縁３ｅ4との間にそれぞれ、１箇所に設けられている。連結部７はそれぞれ、ストッパ６を外向きに引っ張ることで切断することができる。
【００１９】
ここで、本実施形態の使用方法を説明する。
使用者は先ず、図１に示す状態でノズル４を一方の鼻の穴に挿入した後、プランジャ３を押し込むことで、噴出孔Ａ２から点鼻薬Ｃを鼻の穴に噴霧することができる。ここで、ストッパ６が、図３に示すように、外装部２ｅに接触すると、プランジャ３を押し込むことができなくなるので、空間Ｒ2に点鼻薬Ｃを残した状態で１回目の噴霧は終了する。なお、空間Ｒ2の容量は、使用目的に応じて適宜選択できるが、例えば、空間Ｒ1の容量の半分とする。
【００２０】
次いで、図４に示すように、ストッパ６を切り離して他方の鼻の穴にノズル４を挿入すれば、プランジャ３を押し込むことで、噴出孔Ａ２から空間Ｒ2内に残った点鼻薬Ｃを鼻の穴に噴霧することができる。
【００２１】
上述のように、本実施形態によれば、ストッパ６が外装部２ｅに接触するまでプランジャ３を押し込むことで、１回目の噴出が可能になる。次いで、ストッパ６をプランジャ３から分離すると、再びプランジャ３を押し込むことができる。これにより、２回目の取り出しが可能になる。従って、本実施形態によれば、点鼻薬Ｃを小分けして噴出することができる。
【００２２】
加えて、本実施形態では、プランジャ３の最外側縁３ｅ1に凹部ｎを形成し、この凹部ｎにストッパ６を配置したことから、外部からストッパ６の有無を視認することによって、小出しの状況を確認することができる。
【００２３】
図５は、同実施形態の変形例であって、１回目の噴出が完了した状態を示している。本形態は、ノズル４に補助フランジ部４ａを設けたものである。シリンジ２に設けた外装部２ｅは、１回目の噴出を終了すると、押圧部３ｃとの間隔が短くなるため、使い難い場合がある。このため、本形態では、外装部２ｅよりも噴出孔Ａ２側に補助フランジ部４ａを設けることで、指を引っ掛けてプランジャ３を押し込むことが容易になる。なお、本形態において、図１〜４と実質的に同一の部分は、同一の符号をもって、その説明を省略する。
【００２４】
図６は、図１〜４に示す実施形態の他の変形例を模式的に示したものである。なお、本形態において、図１〜６と実質的に同一の部分は、同一の符号をもって、その説明を省略する。
【００２５】
ところで、シリンジ型噴出器の場合、プランジャ３の押し込みにより、ストッパ６の上端面６ｅ1をシリンジの外装部２ｅに接触させるとき、ストッパ６に大きな外力が加わることがある。この場合、ストッパ６が潰れてしまったり、連結部７が使用者の意図に反して切断されてしまうことも考えられる。
【００２６】
そこで、本形態では、ストッパ６の上端面６ｅ1は、図６（ｂ）に示すように、当該ストッパの収納方向に対して直交する方向に拡大されている。本形態において、収納方向とは、プレート部分３ａ1に沿ってプランジャ３の中心軸（プレート部分３ａ1の連結によって形成される連結軸部）Ｏに向かう方向をいう。更に詳細には、ストッパ６の平面部６ｆに、突出部６ａを設け、突出部６ａの上端面をストッパ６の上端面６ｅ1に一致させている。本形態のように、ストッパ６の上端面６ｅ1を、ストッパの収納方向に対して直交する方向に拡大すれば、ストッパ６にかかる大きな外力を軽減することができる。
【００２７】
加えて、本形態では、ストッパ６に横方向に伸びるスリットＳが形成されている。スリットＳは、プランジャ３側の側面（本形態では、側縁６ｅ3）に開口する。そこで、本形態では、ストッパ６に、プレート部分３ａ1側の側縁６ｅ3に開口して横方向に伸びるスリットＳを設けてバックラッシュ効果を持たせることで、シリンジの外装部２ｅとの接触面積が増加するため、ストッパ６の上端面６ｅ1を拡大した場合と同様、ストッパ６に入力される大きな外力を軽減することができる。
【００２８】
特に、本形態では、図６（ａ）に示すように、ストッパ６の上端面６ｅ1をプレート部の上側端縁３ｅ3に接触させている。この場合、ストッパ６が外装部２ｅに接触したときも、連結部７が容易に切断されることがない。
【００２９】
なお、本発明によれば、ストッパ６の上端面６ｅ1とプレート部の上側端縁３ｅ3との間は接触させることが好ましいが、図１〜５と同様、ストッパ６の下端面６ｅ2とプレート部の下側端縁３ｅ4との間に間隔を空けて連結することも可能である。さらに、本形態では、ストッパ６の下端面６ｅ2とプレート部の下側端縁３ｅ4との構成も、同形態の上端側と同様に構成しているが、図１〜５と同様、突出部６ａを省略し、また、ストッパ６の下端面６ｅ2とプレート部の下側端縁３ｅ4との間に間隔を空けることも可能である。
【００３０】
また、本形態では、ストッパ６の上端面６ｅ1とプレート部の上側端縁３ｅ3との間の連結部７をプレート部の最外側縁３ｅ1から突出させることで、ストッパ６の上端面６ｅ1に連結させている。これにより、ストッパ６の上端面６ｅ1とプレート部の上側端縁３ｅ3との連結強度を高めることができる。また、ストッパ６の下端面６ｅ2とプレート部の上側端縁３ｅ4との間の連結部７も同様に構成されている。
【００３１】
上述したところは、本発明の様々な実施形態であるが、本発明に従えば、様々な変更が可能となる。例えば、上述の実施形態では、連結部は、局所的に設けられた連結片として構成したが、ストッパ６を全体に亘って連結する薄肉部とすることもできる。加えて、プランジャおよびストッパの形状は、実施形態に限定されることなく、適宜変更可能である。また、上述の実施形態では、シリンジ型噴出器を噴霧器として説明したが、本発明に従えば、泡として噴出させ、または、通常の液体として噴出させるなど、内容物を様々な形態で取り出すことができる。また、本実施形態に採用された構成と、各変形例に採用された構成とはそれぞれ、互いに適宜、置き換えて、又は、組み合わせることができる。
【産業上の利用可能性】
【００３２】
本発明は、フランジ部を有するシリンジと、当該シリンジ内に押し込み可能なプランジャとを備えるシリンジ型噴出器であれば、様々な形態のものに採用することができる。内容物も、点鼻薬に限定されることなく、様々なものを採用することができる。
【符号の説明】
【００３３】
１    点鼻薬噴霧器（シリンジ型噴出器）
２    シリンジ
２ａ  胴部
２ｂ  肩部
２ｃ  先端部
２ｄ  フランジ部
２ｅ  外装部
３    プランジャ
３ａ  シャフト部
３ａ1 プレート部分
３ｂ  ピストン
３ｃ  押圧部
３ｅ1 最外側縁
３ｅ2 最内側縁
３ｅ3 上側端縁
３ｅ4 下側端縁
４    ノズル
４ａ  補助フランジ部
５    噴霧チップ
６    ストッパ
６ｅ1 上端面
７    連結部
Ａ1   貫通孔
Ａ2   噴出孔
Ｃ    点鼻薬（内容物）
ｎ    凹部
Ｒ    充填空間
Ｓ    スリット
【図１】
0005864337.tif 000002
【図２】
0005864337.tif 000003
【図３】
0005864337.tif 000004
【図４】
0005864337.tif 000005
【図５】
0005864337.tif 000006
【図６】
0005864337.tif 000007